(57)【特許請求の範囲】
【請求項１】
プッシュ式ボタン用の開口を有する取付面に当該取付面に平行に支持される軸を介して回動可能に取り付けられ、一端にラッチ受け部に係脱可能なラッチ爪を有するラッチと、  前記ラッチを前記ラッチ受け部に対して係合する方向に回動付勢するためのばね部材と、前記プッシュ式ボタン用の開口に配置され、前記ラッチを前記ラッチ受け部に対して離脱させる方向に押圧回動するためのプッシュ式ボタンとを備え、前記プッシュ式ボタンのプッシュ操作により、前記ラッチ爪と前記ラッチ受け部との係合を解除する形式のプッシュラッチにおいて、
前記プッシュ式ボタンは、前記プッシュ式ボタン用の開口に配置可能な操作ボタンと、前記操作ボタンから延びるボタン軸とからなり、前記ボタン軸は外周面の両端側所定の位置に外周方向に突出するストッパーを有し、また、前記操作ボタンとは反対側の端面の軸芯上にコイルスプリング装着用の凹部が形成されるとともに当該凹部の外周面は当該凹部の開口端から軸方向に向けて複数のスリットが形成されて複数の分割片をなし、
前記ラッチは、前記プッシュ式ボタンにより押圧される回動端側の所定の位置に前記プッシュ式ボタン用の開口と同芯的に、前記ボタン軸の前記操作ボタンとは反対側の端部と当該端部側一方のストッパーとの間の軸部分が挿通可能な軸挿通穴が形成され、このラッチに対して、前記取付面と前記ラッチとの間に、前記プッシュ式ボタン用の開口と同芯的に、前記ボタン軸の前記操作ボタンと前記操作ボタン側他方のストッパーとの間の軸部分が挿通可能な軸挿通部を有する位置決めベースが前記取付面に固定されて配設されるとともに、前記ラッチの背面側に、前記ラッチの軸挿通穴と同芯的に、前記ボタン軸の複数の分割片が挿通可能な複数の分割片挿通穴を有する支持ベースが前記取付面に固定されて配設され、
前記プッシュ式ボタンは前記ボタン軸が当該コイルスプリング装着用の凹部にコイルスプリングを装着され、前記各ストッパーを前記位置決めベースと前記ラッチとの間に当該位置決めベース及びラッチに近接して配置され、前記位置決めベース、前記ラッチ、及び前記支持ベース間に各軸挿通穴を挿通して取り付けられ、
常態として、前記ボタン軸と前記支持ベースとの間で圧縮される前記コイルスプリングの付勢力により前記ボタン軸が前記取付面に向けて押圧されて、前記ボタン軸の前記他方のストッパーと前記位置決めベースが係合されることにより、前記操作ボタン及び前記ボタン軸が前記取付面において前記ラッチに対して係合しない定位置に位置決めされ、
前記操作ボタンを前記コイルスプリングの付勢力に抗してプッシュ操作することにより、前記ボタン軸を直動し、前記一方のストッパーと前記ラッチとの係合により前記ラッチを押圧して、前記ラッチを前記ラッチ受け部に対して離脱する方向に回動する、
ことを特徴とするプッシュラッチ。
【請求項２】
プッシュ式ボタンは操作ボタンとボタン軸が別体で、前記操作ボタンが前記ボタン軸の一端に着脱可能に取り付けられる請求項１に記載のプッシュラッチ。
【請求項３】
プッシュ式ボタンのボタン軸の外周面にロック溝が形成され、前記プッシュ式ボタンの定位置において前記ボタン軸の側方のラッチ及び支持ベースの側部に前記ロック溝に向けてロック軸挿通部が形成されて、前記ロック軸挿通部の延長上にソレノイドが設置され、当該ソレノイドのプランジャがロック軸として前記ロック軸挿通部を通じて前記ボタン軸のロック溝に向けて進退可能に配置され、前記ソレノイドの通電制御により、前記ソレノイドのプランジャを押し、前記ボタン軸のロック溝に係合させることにより、前記プッシュ式ボタンの動作をロックし、前記プランジャを引き、前記プランジャと前記ロック溝との係合を解除することにより、前記プッシュ式ボタンの動作ロックを解除する請求項１又は２に記載のプッシュラッチ。
【請求項４】
位置決めベースは断面略ハット形又は断面略Ｕ字形に形成され、中央の面に軸挿通穴を有し、支持ベースは前記位置決めベースの中央の面との間に所定の空間を画成可能に断面略ハット形又は断面略Ｕ字形に形成され、中央の面に前記位置決めベースの軸挿通穴の軸芯に同芯的に複数の分割片挿通穴を有し、前記位置決めベースは前記支持ベースとともに取付面に取り付けられ、ラッチは前記位置決めベースの中央の面と前記支持ベースの中央の面との間に配置可能に断面略Ｕ字形に形成されるとともに、一端が前記位置決めベースと前記支持ベースとの間から突出されてラッチ爪が設けられ、また、中央の面に前記位置決めベースの軸挿通穴に連通可能な軸挿通穴を有し、前記位置決めベースと前記支持ベースとの間に配置されて、両側面が前記支持ベースの両側面に軸を介して回動可能に取り付けられ、ロック軸挿通部は前記支持ベースの一方の側面にプランジャが挿通可能な穴が形成され、前記ラッチの一方の側面に前記プランジャが挿通可能にかつ当該プランジャに対して前記ラッチの回動を許容する長穴が形成されてなる請求項３に記載のプッシュラッチ。
【発明の詳細な説明】
【技術分野】
【０００１】
本発明は、蓋や扉又は蓋や扉により開閉される枠体のいずれか一方に取り付けられて、他方に設けられるラッチ受け部に係脱し、蓋や扉などを枠体に閉鎖状態又は開放可能状態にするプッシュラッチに関する。
【背景技術】
【０００２】
一般に、プッシュラッチは、一端にラッチ受け部に係脱可能なラッチ爪を有し、プッシュ式ボタン用の開口を有する取付面に当該取付面に平行に支持される軸を介して回動可能に取り付けられるラッチと、ラッチをラッチ受け部に対して係合する方向に回動付勢するためのばね部材と、プッシュ式ボタン用の開口に配置され、ラッチをラッチ受け部に対して離脱させる方向に押圧回動するためのプッシュ式ボタンとを備え、常態としてラッチをラッチ受け部に係合させ、プッシュ式ボタンのプッシュ操作により、ラッチ爪とラッチ受け部との係合を解除する構造を有している。この種のプッシュラッチが例えば特許文献１に開示されている。この文献１のプッシュラッチでは、プッシュ式ボタンがラッチの他端に設けられ、このボタンのプッシュ操作により、ラッチをラッチ受け部に対して離脱する方向に回動するようになっている。
【先行技術文献】
【特許文献】
【０００３】
【特許文献１】特開平９−３２３８０号公報
【発明の概要】
【発明が解決しようとする課題】
【０００４】
しかしながら、上記従来のプッシュラッチでは、ラッチの他端にプッシュ式ボタンが設けられて、このプッシュ式ボタンのプッシュ操作により、ラッチを回動させるようになっているため、プッシュラッチの取付面の厚さが大きくなると、プッシュ式ボタンそれ自体の高さを高くする必要があり、プッシュ式ボタンの高さを簡易に調整することができない、という問題がある。また、このようなプッシュラッチの場合、プッシュ式ボタンに施錠手段などがなく、誰もがプッシュ式ボタンを自由に操作できるようになっているため、セキュリティ上、開閉操作は特定の者のみに制限したいといったユーザからの要請に対応できない、という問題がある。
【０００５】
本発明は、このような従来の問題を解決するもので、この種のプッシュラッチにおいて、プッシュ式ボタンの操作性を高めること、プッシュ式ボタンの高さ調整を簡易にすること、プッシュ式ボタンをユーザの求めるオリジナルデザインにするなど、プッシュ式ボタンのデザインの自由度を高めること、特定の者のみがプッシュ式ボタンの操作を行えるようにするなどセキュリティ機能を装備することなど、を目的とする。
【課題を解決するための手段】
【０００６】
上記目的を達成するために、本発明のプッシュラッチは、プッシュ式ボタン用の開口を有する取付面に当該取付面に平行に支持される軸を介して回動可能に取り付けられ、一端にラッチ受け部に係脱可能なラッチ爪を有するラッチと、前記ラッチを前記ラッチ受け部に対して係合する方向に回動付勢するためのばね部材と、前記プッシュ式ボタン用の開口に配置され、前記ラッチを前記ラッチ受け部に対して離脱させる方向に押圧回動するためのプッシュ式ボタンとを備え、前記プッシュ式ボタンのプッシュ操作により、前記ラッチ爪と前記ラッチ受け部との係合を解除する形式のプッシュラッチにおいて、前記プッシュ式ボタンは、前記プッシュ式ボタン用の開口に配置可能な操作ボタンと、前記操作ボタンから延びるボタン軸とからなり、前記ボタン軸は外周面の両端側所定の位置に外周方向に突出するストッパーを有し、また、前記操作ボタンとは反対側の端面の軸芯上にコイルスプリング装着用の凹部が形成されるとともに当該凹部の外周面は当該凹部の開口端から軸方向に向けて複数のスリットが形成されて複数の分割片をなし、前記ラッチは、前記プッシュ式ボタンにより押圧される回動端側の所定の位置に前記プッシュ式ボタン用の開口と同芯的に、前記ボタン軸の前記操作ボタンとは反対側の端部と当該端部側一方のストッパーとの間の軸部分が挿通可能な軸挿通穴が形成され、このラッチに対して、前記取付面と前記ラッチとの間に、前記プッシュ式ボタン用の開口と同芯的に、前記ボタン軸の前記操作ボタンと前記操作ボタン側他方のストッパーとの間の軸部分が挿通可能な軸挿通部を有する位置決めベースが前記取付面に固定されて配設されるとともに、前記ラッチの背面側に、前記ラッチの軸挿通穴と同芯的に、前記ボタン軸の複数の分割片が挿通可能な複数の分割片挿通穴を有する支持ベースが前記取付面に固定されて配設され、前記プッシュ式ボタンは前記ボタン軸が当該コイルスプリング装着用の凹部にコイルスプリングを装着され、前記各ストッパーを前記位置決めベースと前記ラッチとの間に当該位置決めベース及びラッチに近接して配置され、前記位置決めベース、前記ラッチ、及び前記支持ベース間に各軸挿通穴を挿通して取り付けられ、常態として、前記ボタン軸と前記支持ベースとの間で圧縮される前記コイルスプリングの付勢力により前記ボタン軸が前記取付面に向けて押圧されて、前記ボタン軸の前記他方のストッパーと前記位置決めベースが係合されることにより、前記操作ボタン及び前記ボタン軸が前記取付面において前記ラッチに対して係合しない定位置に位置決めされ、前記操作ボタンを前記コイルスプリングの付勢力に抗してプッシュ操作することにより、前記ボタン軸を直動し、前記一方のストッパーと前記ラッチとの係合により前記ラッチを押圧して、前記ラッチを前記ラッチ受け部に対して離脱する方向に回動する、ことを要旨とする。
また、本発明のプッシュラッチは、さらに次のように構成を備えることが好ましい。
（１）プッシュ式ボタンは操作ボタンとボタン軸が別体で、前記操作ボタンが前記ボタン軸の一端に着脱可能に取り付けられる。
（２）プッシュ式ボタンのボタン軸の外周面にロック溝が形成され、前記プッシュ式ボタンの定位置において前記ボタン軸の側方のラッチ及び支持ベースの側部に前記ロック溝に向けてロック軸挿通部が形成されて、前記ロック軸挿通部の延長上にソレノイドが設置され、当該ソレノイドのプランジャがロック軸として前記ロック軸挿通部を通じて前記ボタン軸のロック溝に向けて進退可能に配置され、前記ソレノイドの通電制御により、前記ソレノイドのプランジャを押し、前記ボタン軸のロック溝に係合させることにより、前記プッシュ式ボタンの動作をロックし、前記プランジャを引き、前記プランジャと前記ロック溝との係合を解除することにより、前記プッシュ式ボタンの動作ロックを解除する。
（３）位置決めベースは断面略ハット形又は断面略Ｕ字形に形成され、中央の面に軸挿通穴を有し、支持ベースは前記位置決めベースの中央の面との間に所定の空間を画成可能に断面略ハット形又は断面略Ｕ字形に形成され、中央の面に前記位置決めベースの軸挿通穴の軸芯に同芯的に複数の分割片挿通穴を有し、前記位置決めベースは前記支持ベースとともに取付面に取り付けられ、ラッチは前記位置決めベースの中央の面と前記支持ベースの中央の面との間に配置可能に断面略Ｕ字形に形成されるとともに、一端が前記位置決めベースと前記支持ベースとの間から突出されてラッチ爪が設けられ、また、中央の面に前記位置決めベースの軸挿通穴に連通可能な軸挿通穴を有し、前記位置決めベースと前記支持ベースとの間に配置されて、両側面が前記支持ベースの両側面に軸を介して回動可能に取り付けられ、ロック軸挿通部は前記支持ベースの一方の側面にプランジャが挿通可能な穴が形成され、前記ラッチの一方の側面に前記プランジャが挿通可能にかつ当該プランジャに対して前記ラッチの回動を許容する長穴が形成されてなる。
【発明の効果】
【０００７】
本発明のプッシュラッチによれば、上記の構成により、次のような効果を奏することができる。
（１）操作ボタンのプッシュ操作により、操作ボタンから延びるボタン軸を直動して、ラッチをラッチ受け部に対して離脱する方向に回動するので、プッシュ式ボタンが押しやすく、この押す力をラッチに確実に伝達することができるなど、プッシュ式ボタンの操作性を高めることができる。
（２）ボタン軸の長さは適宜変更可能で、このボタン軸の長さの調整により、プッシュ式ボタンの高さを簡易に調整することができ、プッシュ式ボタンの高さを、プッシュラッチの取付面の厚さに応じて、簡単かつ確実に調整することができる。
（３）プッシュ式ボタンの操作ボタンとボタン軸とを別体とし、操作ボタンをボタン軸の一端に着脱可能に取り付けるようにすることにより、操作ボタンのみに多様なデザインを簡単に施すことができ、プッシュ式ボタンをユーザの求めるオリジナルデザインにするなど、プッシュ式ボタンのデザインの自由度を高めることができる。
（４）プッシュ式ボタンのボタン軸の外周面にロック溝を形成し、プッシュ式ボタンの定位置においてボタン軸の側方のラッチ及び支持ベースの側部に当該ロック溝に向けてロック軸挿通部を形成し、このロック軸挿通部の延長上にソレノイドを設置して、当該ソレノイドのプランジャをロック軸としてロック軸挿通部を通じてボタン軸のロック溝に向けて進退可能に配置し、ソレノイドの通電制御により、プランジャを押し、ボタン軸のロック溝に係合させることにより、プッシュ式ボタンの動作をロックし、プランジャを引き、プランジャとロック溝との係合を解除することにより、プッシュ式ボタンの動作ロックを解除するようにすることにより、プッシュ式ボタンの操作性を損なうことなく、そのロック及びアンロックを簡易に行うことができ、このようにしてソレノイドを特定の者のみがプッシュ式ボタンの操作を行うことができるセキュリティ機能として装備することができる。
【図面の簡単な説明】
【０００８】
【図１】本発明の一実施の形態におけるプッシュラッチを示す側面断面図
【図２】同プッシュラッチの平面図
【図３】同プッシュラッチの背面図
【図４】（ａ）同プッシュラッチに使用されるラッチ受け金具の側面断面図（ｂ）同プ  ッシュラッチに使用されるラッチ受け金具の背面図
【図５】同プッシュラッチの一部断面平面図
【図６】同プッシュラッチのロック状態を示す図
【図７】同プッシュラッチのアンロック状態を示す図
【発明を実施するための形態】
【０００９】
次に、この発明を実施するための形態について図を用いて説明する。図１乃至図３にプッシュラッチを示している。また、図４にこのプッシュラッチに用いられるラッチ受け部を示している。なお、この実施の形態では、プッシュラッチを枠体に取り付けて、上蓋に設けられるラッチ受け部に対して係脱する上蓋用のプッシュラッチとして例示している。この場合、枠体の一側面に上面の開口に近接してプッシュ式ボタン用の開口が形成されて、この一側面の開口を含む内面がプッシュラッチの取付面になっている。一方、上蓋の一側面の内面で枠体のプッシュラッチの取付位置に対応する所定の位置にラッチ受け部としてラッチ受け金具が取り付けられる。図４に示すように、このラッチ受け金具９は、横に長い略矩形状のプレートからなり、その上部両側にねじ挿通穴９０が形成され、その下部の中央に横方向に長い開口９１が形成される。このようにしてラッチ受け金具９は上蓋の内面所定の位置にねじにより取り付けられて、枠体の取付面に取り付けられるプッシュラッチの直上に配置され、ラッチ受け金具９の開口９１にプッシュラッチのラッチ爪が係合されるようになっている。
【００１０】
図１に示すように、プッシュラッチ１は、枠体の取付面Ｐに当該取付面Ｐに平行に支持される軸７７を介して回動可能に取り付けられ、一端にラッチ受け金具９に係脱可能なラッチ爪２１を有するラッチ２と、ラッチ２をラッチ受け金具９に対して係合する方向に回動付勢するためのばね部材３と、プッシュ式ボタン用の開口Ｐ１に配置され、ラッチ２をラッチ受け金具９に対して離脱させる方向に押圧回動するためのプッシュ式ボタン４とを備え、常態としてラッチ２とラッチ受け金具９を係合して、枠体上の上蓋を閉鎖状態とし、プッシュ式ボタン４のプッシュ操作により、ラッチ爪２１とラッチ受け金具９１との係合を解除して、上蓋を開放可能状態とするようになっている。
【００１１】
このプッシュラッチ１では、プッシュ式ボタン４は、開口Ｐ１に配置可能な操作ボタン５と、操作ボタン５の中心から延びるボタン軸６とからなる。この場合、プッシュ式ボタン４は操作ボタン５とボタン軸６が別体で、操作ボタン５がボタン軸６の一端に着脱可能に取り付けられる。操作ボタン５は略平面形状のプレートで、その片側一方の面（内側面）の中心に取付軸５１が突出される。ボタン軸６は所定の長さを有する軸からなり、外周面の軸方向中間部所定の範囲に外周方向に少し突出する段部６１が形成されて、外周面の両端側所定の位置に外周方向に少し突出する段差部６２、６２が形成され、これらの段差部６２、６２が後述するラッチ２や位置決めベース７１に対するストッパーになっている。このボタン軸６の一端側の端面に操作ボタン５が取り付けられるため、当該端面の軸芯上に操作ボタン５の取付軸５１が嵌合可能な取付溝６３が形成され、その外周面に取付溝６３に連通するねじ穴６４が併せて形成される。このようにして操作ボタン５は取付軸５１がボタン軸６の一端の取付溝６３に差し込まれ、ボタン軸６外周面のねじ穴６４に螺着されるねじ６５（図２参照）により締め込み固定される。また、ボタン軸６の操作ボタン５が取り付けられる一端とは反対側の他端側の端面にコイルスプリング６６を装着するため、さらにこの他端側に複数の分割片６９、６９を形成するため、当該端面の軸芯上にコイルスプリング装着用の凹部６７が形成されるとともに、その開口端から外周面に、この場合、左右両側面にそれぞれ軸方向に向けて１つずつスリット６８、６８が切り込み形成されて上下に２つの分割片６９、６９が分割形成される。
【００１２】
ラッチ２は所定の長さを有するプレートからなり、プッシュ式ボタン４により押圧される回動端側、この場合、ラッチ爪２１側の端部の所定の位置にプッシュ式ボタン用の開口Ｐ１と同芯的に、ボタン軸６の他端部（ボタン軸６の操作ボタン５とは反対側の端部）と当該他端部側一方のストッパー６２との間の軸部分が挿通可能な軸挿通穴２０が形成される。そして、このラッチ２に対して、プッシュラッチ１の取付面Ｐとラッチ２との間に、プッシュ式ボタン用の開口Ｐ１と同芯的に、ボタン軸６の一端部（ボタン軸６の操作ボタン５側の端部）と当該端部側他方のストッパー６２との間の軸部分が挿通可能な軸挿通部７０を有する位置決めベース７１がプッシュラッチ１の取付面Ｐに固定されて配設されるとともに、ラッチ２の背面側に、ラッチ２の軸挿通穴２０と同芯的に、ボタン軸６の他端部（ボタン軸６の操作ボタン５とは反対側の端部）と当該他端部側一方のストッパー６２との間の軸部分の２つの分割片６９、６９が挿通可能な２つの分割片挿通穴７３、７３を有する支持ベース７４がプッシュラッチ１の取付面Ｐに固定されて配設される。この場合、位置決めベース７１は上下方向に長く、図２に示すように、水平断面が略ハット形に形成されて、中央の面の所定の高さにボタン軸６の一端側（ボタン軸６の操作ボタン５側の端部と当該端部側他方のストッパー６２との間の軸部分）が挿通可能な軸挿通穴７０が穿設され、また、最も外側の両側の面（固定面）にそれぞれねじ挿通穴が穿たれる。支持ベース７４は位置決めベース７１の中央の面との間に所定の空間を画成可能に上下方向に長く、図２、図３に示すように、水平断面が略ハット形に形成され、中央の面の所定の高さに位置決めベース７１の軸挿通穴７０の軸芯と同芯的に、ボタン軸６の他端側（ボタン軸６の操作ボタン５とは反対側の端部と当該端部側一方のストッパー６２との間の２つの分割片６９、６９）が挿通可能な２つの分割片挿通穴７３、７３が設けられ、また、中央の面の両側に隣接する各面の他端（この場合、下端）に軸挿通穴７５、７５が形成され、最も外側の両側の面（固定面）にそれぞれねじ挿通穴７６、７６が穿たれる。このようにして位置決めベース７１は支持ベース７４とともに固定面がねじ（図示省略）によりプッシュラッチ１の取付面Ｐに取り付けられる。ラッチ２は、図２、図３に示すように、位置決めベース７１の中央の面と支持ベース７４の中央の面との間に配置可能に上下方向に長く、水平断面が略Ｕ字形に形成されるとともに、一端が位置決めベース７１と支持ベース７４との間から突出されて、この一端にラッチ爪２１がラッチ受け金具９に向けて突出するように設けられ、また、中央の面の所定の高さに位置決めベース７１の軸挿通穴７０に連通可能に軸挿通穴２０が設けられ、両側の面の他端（この場合、下端）に軸挿通穴２２、２２（図１参照）が形成される。このようにしてラッチ２は位置決めベース７１と支持ベース７４との間に配置され、両側の面の各軸挿通穴２２、２２が支持ベース７４の両側の面の各軸挿通穴７５、７５に合わされて、これらの軸挿通穴７５，７５、２２，２２間に軸７７が挿通され、この軸７７を介して回動可能に取り付けられる。そして、この軸７５の回りにばね部材３であるコイルスプリングが巻き付けられて、その一端が位置決めベース７１の他端（この場合、下端）に係止され、他端がラッチ２の他端（この場合、下端）に係止されて、このコイルスプリング３により、ラッチ２がラッチ受け金具９に対して係合する方向に回動付勢される。
【００１３】
このようにしてプッシュ式ボタン１は、操作ボタン５がプッシュ式ボタン用の開口Ｐ１に配置され、ボタン軸６が位置決めベース７１、ラッチ２、及び支持ベース７４間に各軸挿通穴７０、２０、７３，７３を通して取り付けられる。この場合、ボタン軸６は、コイルスプリング装着用の凹部６７にコイルスプリング３が装着され、各ストッパー６２、６２が位置決めベース７１とラッチ２との間に当該位置決めベース７１及びラッチ２に近接して配置されて、位置決めベース７１、ラッチ２、及び支持ベース７４の各軸挿通穴７０、２０、７３，７３に挿通される。これにより、常態として、ボタン軸６と支持ベース７４との間でコイルスプリング３が圧縮され、このコイルスプリング３の付勢力によりボタン軸６はプッシュラッチ１の取付面Ｐに向けて押圧されて、ボタン軸６の操作ボタン５側他方のストッパー６２が位置決めベース７１の軸挿通穴７０の縁部に係止され、反対に、操作ボタン５とは反対側の一方のストッパー６２がラッチ２の軸挿通穴２０の縁部から少し引き離されて、操作ボタン５及びボタン軸６はプッシュラッチ１の取付面Ｐにおいてボタン軸６がラッチ２に対して係合（押圧）しない状態の定位置に位置決めされる。そして、この状態から操作ボタン５をコイルスプリング３の付勢力に抗してプッシュ操作することにより、ボタン軸６がラッチ２に向けて直動し、一方のストッパー６２とラッチ２との係合により、ラッチ２の回動端側を押圧し、このラッチ２をラッチ受け金具９に対して離脱する方向に回動する。
【００１４】
このようにこのプッシュラッチ１では、操作ボタン５のプッシュ操作により、操作ボタン５の中心から延びるボタン軸６を直動して、ラッチ２の回動端側を押圧し、ラッチ２をラッチ受け金具９に対して離脱する方向に回動するので、プッシュ式ボタン４が押しやすく、この押す力をラッチ２に確実に伝達することができ、プッシュ式ボタン４の操作性を高めることができる。また、ボタン軸６の長さは適宜変更することができ、このボタン軸６の長さの調整により、プッシュ式ボタン４の高さを簡易に調整することができ、プッシュ式ボタン４の高さを、プッシュラッチ１の取付面Ｐの厚さに応じて、簡単かつ確実に調整することができる。また、この場合、操作ボタン５の取付軸５１のボタン軸６の取付溝６３に対する差込量を調整することで、プッシュ式ボタン４の高さを調整することもできる。さらに、プッシュ式ボタン４の操作ボタン５とボタン軸６とを別体とし、操作ボタン５をボタン軸６の一端に着脱可能に取り付けるようにしたのて、操作ボタン５のみに多様なデザインを簡単に施すことができ、プッシュ式ボタン４をユーザの求めるオリジナルデザインにするなど、プッシュ式ボタン４のデザインの自由度を高めることができる。
【００１５】
また、このプッシュラッチ１においては、図５に示すように、プッシュ式ボタン４のボタン軸６の外周面にロック溝６０が形成され、このプッシュ式ボタン４の定位置においてボタン軸６のロック溝６０の側方のラッチ２及び支持ベース７４の側面にボタン軸６のロック溝６０に向けてロック軸挿通部７８が形成される。この場合、ロック軸挿通部７８は支持ベース７４の一方の側面にソレノイド８のプランジャ８１が挿通可能な穴７９が形成され、ラッチ２の一方の側面にプランジャ８１が挿通可能にかつ当該プランジャ８１に対してラッチ２の回動を許容可能な大きさ、形状の長穴８０が形成されてなる。そして、このロック軸挿通部７８の外側延長上にソレノイド８が設置され、当該ソレノイド８のプランジャ８１がロック軸としてロック軸挿通部７８を通じてボタン軸６のロック溝６０に向けて進退可能に配置される。このようにしてソレノイド８の通電制御により、ソレノイド８のプランジャ８１を押し、ボタン軸６のロック溝６０に係合させることにより、プッシュ式ボタン４の動作をロックし、プランジャ８１を引き、プランジャ８１とロック溝６０との係合を解除することにより、プッシュ式ボタン４の動作ロックを解除するようになっている。
【００１６】
図６及び図７にソレノイド８によるプッシュラッチ１のロック状態及びアンロック状態を示している。図６に示すように、ソレノイド８の通電制御により、プランジャ８１が押し出されると、プランジャ８１の先端がボタン軸６のロック溝６０に挿入されて、ボタン軸６は軸方向の動きを規制されてロック状態となる。このロック状態により、操作ボタン５をプッシュ操作することができなくなり、ラッチ２を回動することができないため、ラッチ２とラッチ受け金具との係合を外すことができない。反対に、図７に示すように、プランジャ８１が引き込まれると、プランジャ８１の先端がボタン軸６のロック溝６０から抜け外れて、ボタン軸６は軸方向の動きを許容されてアンロック状態となる。この場合、プランジャ８１はラッチ２の側面の長穴８０に通された状態となっているが、長穴８０はラッチ２の回動を許容する大きさ、形状を有しているので、プランジャ８１がラッチ２に緩衝することがない。このアンロック状態により、操作ボタン５をプッシュ操作することができ、操作ボタン５のプッシュ操作によりラッチ２を回動して、ラッチ２とラッチ受け金具との係合を外すことができる。
【００１７】
このようにしてソレノイド８をプッシュラッチ１に併設することで、プッシュ式ボタン４の操作性を損なうことなく、そのロック及びアンロックを簡易に行うことができ、ソレノイド８を、特定の者のみがプッシュ式ボタン４の操作を行うことができるセキュリティ機能として装備することができる。
【００１８】
なお、この実施の形態では、プッシュ式ボタンの操作ボタンとボタン軸を別体とし、操作ボタンをボタン軸の一端に着脱可能に取り付けているが、操作ボタンとボタン軸を一体に形成してもよい。また、この実施の形態では、ボタン軸の外周面の中間部を外周方向に突出する段形状にして、ボタン軸の両端側所定の位置に外周方向に突出する段差形状のストッパーを設けたが、ボタン軸の外周面の両端所定の位置にリング状のストッパーを形成してもよい。さらに、ストッパーをボタン軸と別体のものとし、例えば管状、リング状のストッパーをボタン軸の外周面に嵌め込み固定してもよい。さらに、この実施の形態では、ボタン軸の操作ボタンとは反対側の端部の端面から外周面に軸方向に向けて２つのスリットを切り込み形成して２つの分割片を分割形成したが、このボタン軸の端部は支持ベースとの間にコイルスプリングを介在して、支持ベースを挿通できるようにしていれば、分割片は３つでもそれ以上でもよく、その数は特に限定されるものではない。このようにしても上記実施の形態と同様の作用効果を得ることができる。
【００１９】
また、この実施の形態では、位置決めベース及び支持ベースをそれぞれ断面略ハット形に形成したが、断面略Ｕ字形に形成し、別体の取付ブラケットなどを用いて、プッシュラッチの取付面に取り付けるようにしてもよい。さらに、位置決めベース、支持ベース及びラッチをそれぞれ平面形状のプレートにより形成し、その両側に取付アームを設けるものとしてもよい。このようにしても上記実施の形態と同様の作用効果を得ることができる。
【符号の説明】
【００２０】
１  プッシュラッチ
２  ラッチ
２０  軸挿通穴
２１  ラッチ爪
２２  軸挿通穴
３  ばね部材（コイルスプリング）
４  プッシュ式ボタン
５  操作ボタン
５１  取付軸
６  ボタン軸
６０  ロック溝
６１  段部
６２  段差部（ストッパー）
６３  取付軸
６４  ねじ穴
６５  ねじ
６６  コイルスプリング
６７  凹部
６８  スリット
６９  分割片
７０  軸挿通穴
７１  位置決めベース
７３  分割片挿通穴
７４  支持ベース
７５  軸挿通穴
７６  ねじ挿通穴
７７  軸
７８  ロック軸挿通部
７９  穴
８  ソレノイド
８０  長穴
８１  プランジャ
９  ラッチ受け金具
９０  ねじ挿通穴
９１  開口
Ｐ  取付面
Ｐ１  プッシュ式ボタン用の開口
【図１】
0005209681.tif 000002
【図２】
0005209681.tif 000003
【図３】
0005209681.tif 000004
【図４】
0005209681.tif 000005
【図５】
0005209681.tif 000006
【図６】
0005209681.tif 000007
【図７】
0005209681.tif 000008